(57)【要約】【課題】各ユーザが自ら使用するプレゼンソフト上で、利用可能なプレゼンデータを検索し、所望のデータをそのまま取り込んで使用できるようにする。【解決手段】プレゼン用データと、当該プレゼン用データを特定するための付加情報を記憶したＤＢ１１と、ユーザ装置２０で表示されるプレゼン用ソフトウェア２１中に、ＤＢ１１に記憶されたプレゼン用データを検索可能な検索画面を表示させる検索画面作成手段１３と、入力された検索情報に基づいてプレゼン用データを検索する検索手段１４と、抽出されたプレゼン用データに対応する付加情報をユーザ装置２０のプレゼンソフト２１中に検索結果として表示させる検索結果作成手段１５と、検索結果から選択された付加情報に対応するプレゼンデータをユーザ装置２０に送信してプレゼンソフト中に表示させるプレゼンデータ送信手段１６を備える。【選択図】図２
2020154777.tif 000002
【特許請求の範囲】
【請求項１】
ユーザ装置で使用されるプレゼンテーションソフトウェアを支援するためのシステムであって、
当該システムを構成する情報処理装置が、
前記プレゼンテーションソフトウェアで出力可能なプレゼンテーションデータと、当該プレゼンテーションデータを特定するための所定の付加情報を記憶した記憶手段と、
前記ユーザ装置で表示される前記プレゼンテーションソフトウェア中に、前記記憶手段に記憶された前記プレゼンテーションデータを検索可能な所定の検索画面を表示させる検索画面作成手段と、
前記ユーザ装置の入力操作に応じて入力された検索情報に基づいて、前記記憶手段に記憶された前記プレゼンテーションデータを検索する検索手段と、
前記検索手段で抽出された前記プレゼンテーションデータに対応する前記付加情報を、前記ユーザ装置で表示される前記プレゼンテーションソフトウェア中に検索結果情報として選択可能に表示させる検索結果作成手段と、
前記ユーザ装置の入力操作に応じて、前記検索結果情報から選択された前記付加情報を受信すると、当該付加情報に対応するプレゼンテーションデータを、当該ユーザ装置に送信するプレゼンテーションデータ送信手段と、を備える
ことを特徴とするプレゼンテーションデータ作成支援システム。
【請求項２】
前記プレゼンテーションデータ送信手段は、
前記プレゼンテーションデータを、前記ユーザ装置で表示される前記プレゼンテーションソフトウェア中に、使用可能に表示させる
ことを特徴とする請求項１に記載のプレゼンテーションデータ作成支援システム。
【請求項３】
前記検索画面作成手段は、
前記ユーザ装置の入力操作に応じて、検索キーワードを示すテキスト情報を入力可能な前記検索画面を表示させる
ことを特徴とする請求項１又は２に記載のプレゼンテーションデータ作成支援システム。
【請求項４】
前記検索画面作成手段は、
前記プレゼンテーションソフトウェアで入力されたプレゼンデータに含まれるテキストデータ全体を前記検索情報として前記ユーザ装置から送信させ、
前記検索手段は、前記ユーザ装置から送信された前記テキストデータ全体から重要語を抽出し、抽出された重要語に基づいて検索を実行する
ことを特徴とする請求項１〜３のいずれか一項に記載のプレゼンテーションデータ作成支援システム。
【請求項５】
前記検索結果作成手段は、
前記検索結果情報となる前記付加情報として、前記検索手段で抽出された前記プレゼンテーションデータを示す縮小画像を表示させる
ことを特徴とする請求項１〜４のいずれか一項に記載のプレゼンテーションデータ作成支援システム。
【請求項６】
前記検索手段は、
前記プレゼンテーションデータを、当該データに含まれるスライド単位で検索する
ことを特徴とする請求項１〜５のいずれか一項に記載のプレゼンテーションデータ作成支援システム。
【発明の詳細な説明】
【技術分野】
【０００１】
本発明は、例えば会議や打ち合わせ，説明会，講演会などにおいてプレゼンテーション用の資料となるプレゼンテーションデータの作成を支援するためのシステムに関する。
【背景技術】
【０００２】
一般に、会議や打ち合わせ，説明会，講演会などにおけるプレゼンテーション（以下「プレゼン」ともいう）では、プレゼン内容を文字やグラフ，写真などで分かりやすく表現した資料が用いられ、当該資料がスクリーン上に投影表示されたり、印刷部が参加者に配布されたりすることがある。
この種のプレゼン用の資料は、通常、プレゼンソフト（プレゼンテーションソフトウェア）を用いて作成される。
【０００３】
このようなプレゼンソフトで作成されるプレゼン資料（プレゼンデータ）は、発表内容等に応じて作成者が独自に作成するのが一般的であるが、例えば類似のテーマに関するプレゼン資料であれば、重複した内容が含まれることがあったり、過去のプレゼン資料を流用・改変することで対応が可能であったりすることも少なくない。
また、既に作成されたプレゼン資料を他者も利用・活用することができれば、資料の作成作業に係る時間や負担を軽減することができ、効率的にプレゼンを含む業務を遂行することが可能となる。
【０００４】
ここで、この種のプレゼン資料の作成を支援するための技術としては、例えば特許文献１に提案されているシステムがある。
この特許文献１に開示されているシステムは、サーバコンピュータを介して資料データの提供者と利用者とを仲介することにより、提供者から提供されたプレゼン資料のタイトル一覧文書を、利用者のリクエストに応じて送信できるようにするものである。
【先行技術文献】
【特許文献】
【０００５】
【特許文献１】特開２００２−３３４２３１号公報
【発明の概要】
【発明が解決しようとする課題】
【０００６】
しかしながら、特許文献１に開示されている技術は改善の余地があった。
【０００７】
本発明は、以上のような従来の技術が有する課題を解決するために提案されたものであり、各ユーザが自ら使用するプレゼンテーションソフトウェア上で、利用可能なプレゼンテーションデータを検索し、所望のデータをそのまま取り込んで使用することができる、利便性の高いプレゼンテーションデータ作成支援システムの提供を目的とする。
【課題を解決するための手段】
【０００８】
上記目的を達成するため、本発明のプレゼンテーションデータ作成支援システムは、ユーザ装置で使用されるプレゼンテーションソフトウェアを支援するためのシステムであって、当該システムを構成する情報処理装置が、前記プレゼンテーションソフトウェアで出力可能なプレゼンテーションデータと、当該プレゼンテーションデータを特定するための所定の付加情報を記憶した記憶手段と、前記ユーザ装置で表示される前記プレゼンテーションソフトウェア中に、前記記憶手段に記憶された前記プレゼンテーションデータを検索可能な所定の検索画面を表示させる検索画面作成手段と、前記ユーザ装置の入力操作に応じて入力された検索情報に基づいて、前記記憶手段に記憶された前記プレゼンテーションデータを検索する検索手段と、前記検索手段で抽出された前記プレゼンテーションデータに対応する前記付加情報を、前記ユーザ装置で表示される前記プレゼンテーションソフトウェア中に検索結果情報として選択可能に表示させる検索結果作成手段と、前記ユーザ装置の入力操作に応じて、前記検索結果情報から選択された前記付加情報を受信すると、当該付加情報に対応するプレゼンテーションデータを、当該ユーザ装置に送信するプレゼンテーションデータ送信手段と、を備える構成としてある。
【０００９】
また、本発明は、上記のような本発明に係るプレゼンテーションデータ作成支援システムを構成する情報処理装置で実行されるプレゼンテーションデータ作成支援プログラムとして構成することができる。
さらに、本発明は、上記のような本発明に係るプレゼンテーションデータ作成支援システム及びプログラムによって実施可能なプレゼンテーションデータ作成支援方法として構成することもできる。
【発明の効果】
【００１０】
本発明によれば、各ユーザが自ら使用するプレゼンテーションソフトウェア上で、利用可能なプレゼンテーションデータを検索し、所望のデータをそのまま取り込んで使用することが可能となる。
これによって、過去に作成されたプレゼンテーションデータを効率的に参照したり再利用利することができ、便性の高いプレゼンテーションデータ作成支援システムを提供することができる。
【図面の簡単な説明】
【００１１】
【図１】本発明の一実施形態に係るプレゼンデータ作成支援システムの全体構成を示すブロック図である。
【図２】本発明の一実施形態に係るサーバ装置及びユーザ装置の機能構成を示すブロック図である。
【図３】本発明の一実施形態に係るサーバ装置に設定されるプレゼンデータの付加情報の一例を示すテーブルである。
【図４】本発明の一実施形態に係るプレゼンデータ作成支援システムにおける処理動作の流れを示すフローチャートである。
【図５】本発明の一実施形態に係るユーザ装置側で表示されるプレゼンソフトの表示画面の一例であり、ユーザが所望の検索キーワードを入力した場合を示している。
【図６】本発明の一実施形態に係るユーザ装置側で表示されるプレゼンソフトの表示画面の一例であり、ユーザが作成中のプレゼンデータのテキストデータ全体がサーバ装置に送信され、サーバ装置側で重要語抽出処理がされて検索が実行される場合を示している。
【図７】本発明の一実施形態に係るユーザ装置側で表示されるプレゼンソフトの表示画面の一例であり、ユーザが作成中のプレゼンデータのテキストデータから順次検索キーワードが自動入力される場合を示している。
【図８】本発明の一実施形態に係るユーザ装置側で表示されるプレゼンソフトの表示画面の一例であり、ユーザが作成中のプレゼンデータのテキストデータから特定の検索キーワードが抽出されて自動入力される場合を示している。
【図９】本発明の一実施形態に係るユーザ装置側で表示されるプレゼンソフトの表示画面の一例であり、検索キーワードに基づいて抽出されたプレゼンデータのサムネイル画像を拡大表示させた場合を示している。
【図１０】プレゼンデータ作成支援システムにおけるサーバ装置又はユーザ端末のハードウェア構成を示すブロック図である。
【発明を実施するための形態】
【００１２】
以下、本発明に係るプレゼンテーションデータ作成支援システムの実施形態について、図面を参照しつつ説明する。
ここで、以下に示す本発明のプレゼンテーションデータ作成支援システムは、プログラム（ソフトウェア）の命令によりコンピュータで実行される処理，手段，機能によって実現される。プログラムは、コンピュータの各構成要素に指令を送り、以下に示す本発明に係る所定の処理や機能等を行わせることができる。すなわち、本発明における各処理や手段，機能は、プログラムとコンピュータとが協働した具体的手段によって実現される。
【００１３】
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。また、本発明に係るプレゼンテーションデータ作成支援システムを構成するサーバ装置は、単一の情報処理装置（例えば１台のパーソナルコンピュータ等）で構成することもでき、複数の情報処理装置（例えば複数台のサーバコンピュータ群等）で構成することもできる。
【００１４】
［システム構成］
図１に、本発明の一実施形態に係るプレゼンテーションデータ作成支援システムの全体構成を示す。
同図に示す本発明の一実施形態に係るプレゼンデータ作成支援システム１は、プレゼンデータ作成支援サーバ装置１０（以下「サーバ装置１０」ともいう）と、サーバ装置１０の記憶手段となるプレゼンデータ作成支援データベース１１（以下「ＤＢ１１」ともいう）とで構成されている。なお、サーバ装置１０とＤＢ１１は、図１では別々の構成として表しているが、サーバ装置１０及びＤＢ１１は、記憶手段を備えた単一の情報処理装置として構成することも勿論可能である。
そして、これらサーバ装置１０及びＤＢ１１を備えたプレゼンデータ作成支援システム１には、ＬＡＮやインターネット等のネットワークを介して、一又は二以上のユーザ装置２０（２０ａ，２０ｂ・・・２０ｎ、以下単にユーザ装置２０とする）が通信可能に接続されるようになっている。
【００１５】
［サーバ装置１０］
プレゼンデータ作成支援サーバ装置１０は、ユーザ装置２０で使用されるプレゼンテーションソフトウェアを支援するための本システム１を構成する情報処理装置である。
具体的には、サーバ装置１０は、例えば１又は２以上のサーバコンピュータや、クラウドコンピューティングサービス上に構築された１又は２以上の仮想サーバからなるサーバシステム等の情報処理装置によって構成することができる。
このサーバ装置１０には、図示しないＯＳ（Ｏｐｅｒａｔｉｎｇ  Ｓｙｓｔｅｍ）やＤＢＭＳ（ＤａｔａＢａｓｅ  Ｍａｎａｇｅｍｅｎｔ  Ｓｙｓｔｅｍ）などが備えられ、サーバコンピュータとして運用されるようになっている。
【００１６】
そして、サーバ装置１０には、例えばＷｅｂサーバプログラムなどのミドルウェア上で稼働するソフトウェアとして実装されるプレゼンデータ作成支援ＡＰＩ１２が備えられている。
このプレゼンデータ作成支援ＡＰＩ１２は、１又は２以上のユーザ装置２０に対して、イントラネットやインターネット等のネットワークを介して、ＡＰＩ（Ａｐｐｌｉｃａｔｉｏｎ  Ｐｒｏｇｒａｍｍｉｎｇ  Ｉｎｔｅｒｆａｃｅ）という形で利用可能なアプリケーションを公開、提供する。
これにより、各ユーザ装置２０では、本システム１のプレゼンデータ作成支援を受けるためのアプリケーションプログラムであるプレゼンテーションソフトウェア２１（２１ａ，２１ｂ・・・２１ｎ、以下単に「プレゼンソフト２１」とする）を使用して、プレゼンデータの作成や、ＤＢ１１に格納されているプレゼンデータの検索や表示，取り込みなどを実行するこができるようになる。
【００１７】
ここで、プレゼンソフト（プレゼンテーションソフトウェア）とは、スライド形式で情報を表示するためのソフトウェア（アプリケーション）で、文字情報を編集・配置する機能や、画像情報を編集・配置する機能、スライドショーを含む内容表示機能などを備えるものであり、例えば、Ｍｉｃｒｏｓｏｆｔ社の「ＰｏｗｅｒＰｏｉｎｔ（ｐｐｔ）」（登録商標）などが知られている。
この種のプレゼンソフトは、任意の情報をスライド形式のファイル情報として生成・出力することができ、また、複数のスライド形式の情報を一覧形式にして出力することができ、必要な情報を、見やすく・分かりやすく・使いやすくまとめることができることから、打合せや会議、講演、授業、説明会などの参照資料として広く活用されている。
本実施形態に係るプレゼンソフトは、ユーザ装置２０を構成する情報処理装置で使用可能な既存のソフトウェアであればどのようなソフトウェアであっても適用できるものであり、特定のプレゼンソフトに限定さるものではない。
【００１８】
［データベース１１］
サーバ装置１０には、データベース等として実装されるプレゼンデータ作成支援データベース（ＤＢ）１１が備えられている。
ＤＢ１１は、上述したプレゼンデータ作成支援ＡＰＩ１２の実装・運用に必要となる所定の情報が格納され、プレゼンデータ作成支援ＡＰＩ１２の実行に伴って随時必要な情報が読み出され、記憶・更新されるようになっている。
そして、ＤＢ１１は、ユーザ装置２０側のプレゼンソフト２１で出力可能なプレゼンテーションデータと、当該プレゼンテーションデータを特定するための所定の付加情報が記録されており、本発明の記憶手段として機能する。
【００１９】
［元データの格納］
具体的には、ＤＢ１１には、まず、ユーザ装置２０のプレゼンソフト２１において利用可能となるプレゼンテーションデータ自体（元データ）が記憶されている。
このプレゼンデータ（元データ）は、上述したユーザ装置２０のプレゼンソフト２１で読み込み・表示・加工等が可能なデータであって、例えば本システム１を利用する組織（企業・団体・学校等）において共用・共有が認められている過去に作成されたプレゼンデータなどである。
このようなプレゼンデータのＤＢ１１への取り込みは、例えば当該プレゼンデータを作成した作成者や、共用が認められたプレゼンデータを管理する担当者などが、サーバ装置１０への入力操作を行うことで、ＤＢ１１へのプレゼンデータの記憶・更新を行うことができる。
【００２０】
また、本実施形態では、ＤＢ１１に記憶されるプレゼンデータは、ファイル単位で記憶されるだけでなく、プレゼンデータを構成するスライド単位（ページ単位）に分割（スライス）して記憶することができる。このようにスライド単位でプレゼンデータを記憶・登録することにより、後述するサーバ装置１０の検索手段１４によって、プレゼンデータをスライド単位で検索することができ、また、検索結果をスライド単位でサムネイル画像によって表示することができ、利便性の高い検索やスライド単位でのデータ利用などができるようになる。
なお、プレゼンデータのスライド単位での分割は、例えばサーバ装置１０を構成する情報処理装置において、対象となるプレゼンデータを特定のフォルダに格納して、マクロによってプレゼンデータをスライド単位にスライスすることができる。
【００２１】
［付加情報の生成・記憶］
また、ＤＢ１１には、上述したプレゼンデータの元データとともに、各元データに対応する当該プレゼンデータを特定するための所定の付加情報が記憶されるようになっている。
このような付加情報が記憶されることにより、後述するサーバ装置１０の検索手段１４による検索が高精度に行えるようになるとともに、検索結果を示すスライド単位のサムネイル画像として出力・表示させることができる。
このような付加情報としては、図３に示すように、例えば元データであるプレゼンデータの作成日時・作成者・プロジェクトなどを特定する所定の情報が含まれる。
なお、図３に示す情報は、付加情報の一例であり、これ以外の情報を付加情報として生成・使用できることは勿論である。
【００２２】
ここで、このよう付加情報の生成は、例えばＯＳＳ（オープンソースソフトウェア）で提供されているテキスト解析プログラム（例えば「Elasticsearch」（登録商標）等）を用いることにより、元データとなるプレゼンデータをインデックス化することにより、図３に示すような付加情報を生成することができる。
また、付加情報として、元データのスライド単位のサムネイル画像が生成・記憶される。
なお、上記のような付加情報の生成・記憶は、元データの作成者や管理者が、サーバ装置１０の入力手段を介した入力操作（マニュアル操作）によって手作業で行うことも勿論可能である。
【００２３】
［サーバ装置１０の機能］
そして、以上のようなＤＢ１１を含むサーバ装置１０に実装されるプレゼンデータ作成支援ＡＰＩ１２は、図２に示すように、検索画面作成手段１３，検索手段１４，検索結果作成手段１５，プレゼンデータ送信手段１６の各手段として機能するように構成されている。
検索画面作成手段１３は、ユーザ装置２０で表示・実行されるプレゼンソフト２１中に、ＤＢ１１に記憶されているプレゼンデータを検索可能な所定の検索画面を表示させる手段である。
具体的には、検索画面作成手段１３は、ユーザ装置２０におけるマウスやキーボード等を介した入力操作に応じて、検索キーワードを示すテキスト情報を入力可能な検索画面を生成して表示させるようになっている（後述する図５〜８参照）。
【００２４】
ここで、検索画面への検索情報の入力は、ユーザ装置２０を操作するユーザが所望の件枠キーワードを示すテキスト情報をキーボード等から手作業で入力することができ（図５参照）、また、検索情報としては、画像データを検索画面に入力（コピー＆ペースト）することで、イメージ検索を実行させることもできる。
また、検索情報の入力は、検索画面作成手段１３によって自動で行わせることもできる。
【００２５】
例えば、ユーザ装置２０のプレゼンソフト２１において作成中のプレゼンデータに含まれるテキストデータ全体を検索情報としてサーバ装置１０に送信させ、サーバ装置１０側で重要語抽出処理を行い、抽出された重要語に基づく検索を自動実行させることができる（図６参照）。この場合には、テキストデータの全体が検索情報として入力・送信されるため、検索画面としては、検索キーワードを入力する検索ボックスは必要なく、図６に示すように、単に検索を実行させる（テキストデータ全体をサーバ装置１０側に送信させる）ための「検索」ボタンのみを生成・表示させれば良い。
また、例えば、ユーザ装置２０のプレゼンソフト２１において作成中のプレゼンデータに含まれるテキストデータの中から、重要語（重要キーワード）を抽出して検索画面に自動入力させることもできる（図７〜図８参照）。そして、自動入力された検索情報に基づいて、所定のタイミングで検索を自動的に開始させ、また、ユーザの検索開始の入力操作に応じて検索を開始させることができる。
また、重要キーワードの自動抽出の対象となる範囲は、例えばプレゼンソフト２１で作成中のプレゼンデータの全範囲とすることもでき、また、ユーザが指定した文字列や特定の範囲（プレゼンデータのオブジェクト単位）とすることもできる。
【００２６】
なお、プレゼンデータに含まれる重要キーワード（重要語）の自動抽出は、例えばＯＳＳ（オープンソースソフトウェア）で提供されている形態素解析プログラムや重要単語解析プログラムや（例えば「TF/IDF」プログラム等）を用いることにより、重要キーワード等を自動抽出することができる。
また、検索情報として画像データを用いたイメージ検索は、例えばユーザ装置２０のユーザが作成した画像データや、検索結果として出てきたプレゼンデータに含まれる画像データを検索情報として使用・入力することにより、それらの画像データに類似する画像を含むプレゼンデータをスライド単位で検索・抽出することができるものである。
【００２７】
検索手段１４は、以上のようなユーザ装置２０の入力操作に応じて検索情報が入力されると、その検索情報に基づいて、ＤＢ１１に記憶されているプレゼンデータを検索する手段である。
具体的には、検索手段１４は、ＤＢ１１のプレゼンデータ中に、検査情報として入力・送信されたテキストデータや画像データが含まれる一又は二以上のプレゼンデータを検索し抽出する。例えば、検索画面作成手段１３によって、ユーザ装置２０のプレゼンソフト２１において作成中のプレゼンデータに含まれるテキストデータ全体が検索情報としてユーザ装置２０からサーバ装置１０に送信されると、検索手段１４は、ユーザ装置２０から送信されたテキストデータの全体から重要語を抽出して、抽出された重要語に基づいて検索を実行することができる。
この場合に、検索手段１４は、上述のとおりＤＢ１１においてスライド単位で格納されているプレゼンデータを検索するので、検索情報に基づく検索も、プレゼンデータに含まれるスライド単位で実行されることになる。その結果、検索手段１４による検索結果も、プレゼンデータのスライド単位で出力・表示されるようになる。
【００２８】
検索結果作成手段１５は、検索手段１４で抽出されたプレゼンデータに対応する付加情報をＤＢ１１から抽出し、その付加情報を、ユーザ装置２０で表示されているプレゼンソフト２１中に検索結果情報として選択可能に表示させる手段である。
具体的には、検索結果作成手段１５は、検索結果情報となる付加情報として、検索手段１４で抽出されたプレゼンデータを示す一又は二以上の縮小画像（サムネイル画像）を生成して表示させる（後述する図５〜８参照）。
また、サムネイル画像とともに、当該プレゼンデータについての関連情報、例えば作成者を示す情報，再利用の可否を示す情報なども、検索結果を示す付加情報として生成して表示させることができる。
このように検索結果として付加情報を表示させることで、データ容量の大きいプレゼンデータの元データを直ちに表示・送信させることなく、付加情報の中から選択された必要なプレゼンデータのみをユーザ装置２０に送信することができ、通信負荷を低減させることができる。
【００２９】
プレゼンテーションデータ送信手段１６は、ユーザ装置２０の入力操作に応じて、検索結果作成手段１５によって出力・表示された検索結果情報から選択された付加情報を受信すると、当該付加情報に対応するプレゼンデータを、該当するユーザ装置２０に送信する手段である。
具体的には、プレゼンテーションデータ送信手段１６は、選択された付加情報に対応するプレゼンデータの元データをＤＢ１１から抽出して、ユーザ装置２０で表示されているプレゼンソフト２１中に、使用可能に表示させる（図９参照）。
これによって、ユーザ装置２０を操作するユーザは、プレゼンテーションデータ送信手段１６によって送信されたプレゼンデータ（元データ）を使用して、自ら作成しているプレゼンデータの改良・改変・ブラッシュアップ等を行うことができる。
【００３０】
以上のような本実施形態に係るサーバ装置１０のプレゼンデータ作成支援ＡＰＩ１２で実現される各手段の具体的な機能・動作については、フローチャートとユーザ装置２０に出力・表示される表示画面例を参照しつつ後述する（図４〜８参照）。
【００３１】
［ユーザ装置２０］
ユーザ装置２０は、本実施形態に係るプレゼンデータ作成支援システム１を利用するユーザ（社員・スタッフ・顧客等）が操作可能な情報処理装置であり、例えばユーザ側のオフィス等に設置されるＰＣや専用端末装置，タブレット，スマートフォン，携帯端末などで構成される。
そして、そのようなユーザ装置２０が、プレゼンデータ作成支援サーバ装置１０とデータ通信可能に接続され、そのユーザ装置２０においてプレゼンソフト２１が実装・運用されるようになっている。
【００３２】
図２に示す例では、複数のユーザ装置２０ａ，２０ｂ・・・２０ｎにおいて、それぞれ、プレゼンソフト２１ａ，２１ｂ・・・２１ｎが使用できるようになっている。
そして、各ユーザ装置２０では、それぞれプレゼンソフト２１を介して、サーバ装置１０のプレゼンデータ作成支援ＡＰＩ１２から提供される機能を使用・実行できるようになっている。
これにより、各ユーザがユーザ装置２０を操作して、プレゼンソフト２１を起動・実行させることで、プレゼンソフト２１を介してサーバ装置１０のプレゼンデータ作成支援ＡＰＩ１２を呼び出すことができ、本発明に係るプレゼンデータ作成支援システム１で提供される機能・サービスを実行・利用することができる。
【００３３】
但し、このような本実施形態の構成に限られず、例えば、サーバ装置１０とユーザ装置２０との間で、単純なサーバ・クライアントモデルを構築して実装することもできる。
また、ユーザが自身で所有するＰＣ等の情報処理端末にプレゼンデータ作成支援ＡＰＩ１２に相当するアプリケーションを導入することも可能である。この場合には、ユーザ装置２０自体がプレゼンデータ作成支援サーバ装置１０を構成することになる。
また、例えばプレゼンソフト２１をユーザ装置２０とは別の情報処理装置に導入し、ユーザ装置２０からその別の情報処理装置にアクセスして、当該別の情報処理装置に実装されているプレゼンソフト２１からサーバ装置１０にアクセスすることもできる。この場合には、ユーザ装置２０は、単なるビューア（ブラウザ）として機能することになり、プレゼンソフト２１を直接実装する必要がなく、例えばユーザ装置２０が携帯端末（スマートフォン等）のようにハードウェア資源やスペックが限定されたものである場合などに適している。
【００３４】
［動作］
次に、以上のような構成からなる本実施形態に係るプレゼンデータ作成支援システム１の具体的な動作（プレゼンデータ作成支援方法）について、図４のフローチャートと図５〜８の表示画面例を参照しつつ説明する。
以下に示す動作は、ユーザ装置２０からプレゼンソフト２１を介してアクセスされる、上述したサーバ装置１０のプレゼンデータ作成支援ＡＰＩ１２（検索画面作成手段１３，検索手段１４，検索結果作成手段１５，プレゼンデータ送信手段１６）及びＤＷ１１によって実行・運用される。
【００３５】
まず、ユーザは、ユーザ装置２０を操作して、プレゼンソフト２１を起動する。
ここで、起動されたプレゼンソフト２１において、本システム１の検索機能を使用する場合には、ユーザは、例えば自己に割り当てられたユーザＩＤやパスワードを入力することにより、本システム１の機能を利用可能なプレゼンソフト２１を起動・ログインすることができる。このように、ユーザＩＤ等に基づくログイン処理を行わせることで、本システム１の運用者側において、どのユーザが本システム１の検索機能や再利用機能を使用しているか（例えば誰が検索を行い誰がどの資料を挿入しているか等）を把握・管理できるようにすることができる。
そして、起動されたプレゼンソフト２１を介して、サーバ装置１０のプレゼンデータ作成支援ＡＰＩ１２が呼び出され、以下のようにして本発明に係るプレゼンデータ作成支援システム１で提供される機能・サービスを利用することができる。
【００３６】
プレゼンソフト２１が起動しているユーザ装置２０では、検索画面作成手段１３の制御により、ユーザ装置２０で表示・実行されるプレゼンソフト２１中に所定の検索画面（再利用ウィンドウ）が表示される（ステップ１）。
本実施形態では、検索画面となる「再利用ウィンドウ」は、図５〜８に示すように、プレゼンソフト２１の表示画面中の右側において、検索情報となるキーワードや画像を入力可能な検索ボックスと、検索実行キー、検索結果を表示する表示エリアなどを備えて構成されるようになっている。
【００３７】
このような「再利用ウィンドウ」が表示されることにより、ユーザは、ユーザ装置２０のマウスやキーボード等を操作することにより、検索ボックスに所望の検索キーワードや画像を入力することができる（ステップ２）。
ここで、検索ボックスへの検索キーワードの入力は、ユーザ装置２０を操作するユーザがキーボード等から手入力で行うことがで（図５参照）、
また、ユーザ装置２０のプレゼンソフト２１において作成中のプレゼンデータに含まれるテキストデータ全体を検索キーワード（検索情報）としてユーザ装置２０からサーバ装置１０に送信させ、ユーザ装置２０から送信されたテキストデータの全体から重要キーワードを抽出して、抽出された重要語に基づいて検索を実行させることもできる（図６参照）。この場合には、検索ボックスへの検索キーワードの入力は不要であり、検索ボックス自体も不要とすることができる。
あるいは、プレゼンソフト２１において作成中のプレゼンデータに含まれるテキストデータの中から、プレゼンソフト２１側において重要キーワードが自動で抽出されて検索画面に自動入力されるようにすることもできる（図７〜図８参照）。
そして、所定の検索キーワードが入力されて検索実行キーが操作されることで、サーバ装置１０の検索手段１４において検索処理が実行される（ステップ３）
【００３８】
検索手段１４は、ユーザ装置２０から入力・送信された検索情報に基づいて、ＤＢ１１に記憶されているプレゼンデータをスライド単位で検索し、プレゼンデータ中に、検査情報として入力されたテキストデータや画像データが含まれる一又は二以上のプレゼンデータを抽出する。
検索が終了すると、検索結果作成手段１５が、検索手段１４で抽出されたプレゼンデータに対応する付加情報をＤＢ１１からスライド単位で抽出し（スライド情報）、その付加情報をユーザ装置２０に送信する（ステップ４）。
送信された付加情報は、図５〜８に示すように、ユーザ装置２０で表示されているプレゼンソフト２１の「再利用ウィンドウ」の検索結果表示エリアに、抽出されたプレゼンデータを示す一又は二以上のサムネイル画像として表示される（ステップ５）。
【００３９】
検索結果として表示されたプレゼンデータを示すサムネイル画像は、ユーザ装置２０の入力操作に応じて選択・押下されることにより、図９に示すように現在作成中のプレゼンデータ上に拡大表示させることができる。
そして、複数のサムネイル画像の中から、ユーザ装置２０の入力操作に応じて選択された、送信・利用を希望する元データの取り込みを求める操作（挿入リクエストキーの押下等）が行われると、当該リクエストがサーバ装置１０に送信され（ステップ６）、サーバ装置１０では、受信されたリクエストに係る付加情報にプレゼンデータの元データが抽出され、プレゼンテーションデータ送信手段１６によって、当該元データがユーザ装置２０に送信される（ステップ７）。
【００４０】
ユーザ装置２０に送信されたプレゼンデータは、ユーザ装置２０で表示されているプレゼンソフト２１中において、プレゼンデータの作成領域などに使用可能な状態でそのまま挿入・表示される（ステップ８）。
これにより、ユーザ装置２０では、再利用したいプレゼンデータの元データを使用することができ、自ら作成しているプレゼンデータのベースや改良・改変等に使用できるようになる。
【００４１】
なお、以上のような本実施形態に係る本システム１を構成するプレゼンデータ作成支援サーバ装置１０やユーザ端末２０のハードウェア構成の一例は図１０に示すとおりであり、ＣＰＵ１０１，ＲＡＭ１０２，ＲＯＭ１０３，ＨＤＤ１０４，入力装置１０５及び表示装置１０６を含む情報処理装置によって構成される。これらの構成要素はシステムバスで接続され、システムバスを介してデータのやり取りが行われる。ＣＰＵ（Ｃｅｎｔｒａｌ Ｐｒｏｃｅｓｓｉｎｇ Ｕｎｉｔ）１０１は、中央処理装置ともいい、コンピュータの中心的な処理を行う部位であり、各装置の制御やデータの計算／加工を行う。ＲＡＭ（Ｒａｎｄｏｍ Ａｃｃｅｓｓ Ｍｅｍｏｒｙ）１０２は、メモリ装置の一種で、データの消去・書き換えが可能なものであり、ＲＯＭ（Ｒｅａｄ Ｏｎｌｙ Ｍｅｍｏｒｙ）１０３は、半導体などを用いたメモリ装置の一種で、データ書き込みは製造時１回のみで、利用時には記録されたデータの読み出しのみできるものである。ＨＤＤ（Ｈａｒｄ Ｄｉｓｋ Ｄｒｉｖｅ）１０４は、磁性体の性質を利用し、情報を記録し読み出す補助記憶装置である。入力装置１０５は、ユーザがコンピュータに対して操作指示を行うため、あるいは、文字等を入力するために使用され、具体的には、キーボード，マウス等で構成される。表示装置１０６は、例えば液晶ディスプレイ等で構成され、タッチパネル機能を有するものであってもよい。この他、図示しない通信機能も有し、この通信機能により他の端末との通信が可能となる。
【００４２】
以上説明したように、本実施形態に係る本システム１によれば、ユーザ装置２０において使用されているプレゼンソフト２１上において、サーバ装置１０（ＤＢ１１）にアクセスして再利用可能な一又は二以上のプレゼンデータを検索して、所望のプレゼンデータの元ータを取り込んで使用することができる。
これによって、例えば同一組織内等において過去に作成・使用されたプレゼンデータを効率的に参照・再利用等することができ、プレゼンデータの資源を有効に活用して、業務効率を向上させ、質の高いプレゼンデータを効率的に作成することができるようになる。
これに対して、例えば上述した特許文献１に開示されているようなシステムでは、単に利用可能なプレゼン資料のタイトル一覧文書が利用者側に送信・表示されるだけのものであり、上記のような本システム１における顕著な作用効果を奏することは不可能である。
【００４３】
以上、本発明について、好ましい実施形態を示して説明したが、本発明は、上述した実施形態に限定されるものではなく、本発明の範囲で種々の変更実施が可能であることは言うまでもない。
例えば、本発明に係るプレゼンデータ作成支援システムでは、以下のような機能を備えることもできる。
（１）ユーザ装置で検索可能なプレゼンデータには、利用権限を付与することができ、例えば「閲覧のみ可能」，「使用（スライドイン）可能」などをプレゼンデータごとに設定することができる。
（２）ユーザ装置において、本発明の検索機能等を使用しつつ作成（作成中・作成完了・改変等）されたプレゼンデータは、自動又は手動でサーバ装置側に吸い上げることにより、再利用プレゼンデータとして登録させることができる。
（３）再利用対象となるプレゼンデータには、作成者のクレジットを表記させることができる。
（４）再利用された件数や比率などに基づいて、再利用プレゼンデータの人気ランキングを生成することができ、人気ランキングに基づいたプレゼンデータの検索・表示等が行えるようにすることができる。
（５）再利用プレゼンデータに対して、ユーザ側からの評価を付加情報として付加することができ、例えば「いいねボタン」を設けて、ユーザの入力操作に応じて、プレゼンデータ別や作成者別の「いいねランキング」を生成・表示させることができる。
【産業上の利用可能性】
【００４４】
本発明は、例えば会議や打ち合わせ，説明会，講演会などにおいてプレゼンテーション用の資料となるプレゼンテーションデータの作成を支援するシステム等に好適に利用可能である。
【符号の説明】
【００４５】
１  プレゼンテーションデータ作成支援システム
１０  プレゼンテーションデータ作成支援サーバ装置
１１  プレゼンテーションデータ作成支援データベース
１２  プレゼンテーションデータ作成支援ＡＰＩ
１３  検索画面作成手段
１４  検索手段
１５  検索結果作成手段
１６  プレゼンテーションデータ送信手段
２０  ユーザ装置
２１  プレゼンテーションソフトウェア
【図１】
2020154777.tif 000003
【図２】
2020154777.tif 000004
【図３】
2020154777.tif 000005
【図４】
2020154777.tif 000006
【図５】
2020154777.tif 000007
【図６】
2020154777.tif 000008
【図７】
2020154777.tif 000009
【図８】
2020154777.tif 000010
【図９】
2020154777.tif 000011
【図１０】
2020154777.tif 000012